(57)【要約】【課題】  竹炭植木鉢において、竹炭の脱臭性、吸湿性、吸水・保水性等の特性を享持しながら、水やりによる竹本体の割れを防止すること。【解決手段】  底１２となる節１１Ａを備えた筒状の竹本体１１を炭化させた竹炭植木鉢１０において、炭化した竹本体１１の外周に巻線１３を巻回して締結したもの。【選択図】  図２
0003108138.tif 000002
【実用新案登録請求の範囲】
【請求項１】
底となる節を備えた筒状の竹本体を炭化させた竹炭植木鉢において、炭化した竹本体の外周に巻線を巻回して締結したことを特徴とする竹炭植木鉢。
【請求項２】
前記竹本体を完全炭化させてなる請求項１に記載の竹炭植木鉢。
【請求項３】
前記巻線の少なくとも結び目を竹本体に接着する請求項１又は２に記載の竹炭植木鉢。
【考案の詳細な説明】
【技術分野】
【０００１】
本考案は竹炭植木鉢に関する。
【背景技術】
【０００２】
竹炭植木鉢として、特許文献１に記載の如く、底となる節を備えた筒状の竹本体を炭化させてなるものがある。
【０００３】
竹炭植木鉢は、日本独特の味わいを具備するとともに、竹炭の多孔質構造に基づく優れた脱臭性、吸湿性を発揮し、部屋の消臭、除湿に効果的である。
【０００４】
また、竹炭植木鉢では、竹炭の強力な吸水・保水性を利用し、植物が必要とする水分を竹炭が保持する水分でまかない、水やり頻度を少なくして管理の手間を省くことも期待される。
【特許文献１】特開2001-251967
【考案の開示】
【考案が解決しようとする課題】
【０００５】
本考案者の知見によれば、特許文献１の如くの竹炭植木鉢では、竹炭の強力な吸水性により、植木鉢としての使用時の水やりによって竹本体が外周の周方向に大きく拡張し、該竹本体の外周にピシッという音を発して軸方向に沿う割れを生じ易い。竹炭の前述した脱臭性、吸湿性、吸水・保水性等の特性を十分に確保しようとして、筒状の竹本体を生焼き炭化でなく完全炭化するほどに、竹本体の吸水による周方向の拡張傾向は大きく、割れは顕著に表われる。
【０００６】
本考案の課題は、竹炭植木鉢において、竹炭の脱臭性、吸湿性、吸水・保水性等の特性を享持しながら、水やりによる竹本体の割れを防止することにある。
【課題を解決するための手段】
【０００７】
請求項１の考案は、底となる節を備えた筒状の竹本体を炭化させた竹炭植木鉢において、炭化した竹本体の外周に巻線を巻回して締結したものである。
【０００８】
請求項２の考案は、請求項１の考案において更に、前記竹本体を完全炭化させてなるものである。
【０００９】
請求項３の考案は、請求項１又は２の考案において更に、前記巻線の少なくとも結び目を竹本体に接着するものである。
【考案の効果】
【００１０】
（請求項１）
(a)竹炭植木鉢において、炭化した竹本体の外周に巻線を巻回して締結した。従って、竹炭植木鉢への水やりにより、竹本体が竹炭の強力な吸水性によって周方向へ拡張しようとしても、その拡張が巻線の締め固めによって制限され、竹本体に割れを生ずるに至らない。
【００１１】
（請求項２）
(b)竹本体を完全炭化し、竹炭の脱臭性、吸湿性、吸水・保水性等の特性を十分に確保しようとしても、竹本体の吸水による拡張を巻線の締め固めにより制限し、水やりによる竹本体の割れを防止する。
【００１２】
（請求項３）
(c)巻線の少なくとも結び目を竹本体に接着したから、筒状の竹本体の上で巻線を簡易に固定配置できるし、接着剤によって巻線の結び目を被覆し、使用者の手指が巻線の結び目の切り端に接して傷つくことを防止する。
【考案を実施するための最良の形態】
【００１３】
図１は竹炭植木鉢を示す斜視図、図２は図１の側面図である。
【実施例】
【００１４】
竹炭植木鉢１０は、底１２となる節１１Ａを備えた筒状の竹本体１１を炭化させ、炭化した竹本体１１の外周に巻線１３（１３Ａ、１３Ｂ）を巻回して締結したものである。
【００１５】
竹炭植木鉢１０は、竹本体１１の内部に土壌、水分を充填し、蘭、草花、観葉植物、小樹木等の植物を栽培するのに用いることができる。植物によっては、土壌、水分とともに、鉱物、水苔等を装填することもできる。
【００１６】
竹炭植木鉢１０の構成を製作手順に従って説明する。
(1)竹本体１１の下端に底１２となる節１１Ａを残し、竹本体１１の上端は斜めに切断する等により上側の節を切除して開口部を形成し、この竹本体１１の全体（底１２を含む）を炭焼き釜等により炭化する。竹本体１１は、生焼き炭化でなく、完全炭化することが好ましい。生焼き炭化は、表面部分だけを炭化させ、内部に竹の繊維を残存させるものをいう。
【００１７】
(2)竹本体１１の上端寄りの外周に巻線１３Ａを巻回して締結し、竹本体１１の下端寄り（節１１Ａより下位）の外周に巻線１３Ｂを巻回して締結する。巻線１３Ａ、１３Ｂは、銅線等の金属線でも良いし、縄でも良い。本実施例では、塩化ビニル樹脂被覆銅線を用いた。
【００１８】
(3)巻線１３Ａ（巻線１３Ｂも同じ）の周方向の複数箇所（例えば３箇所）を接着剤により竹本体１１の外面に接着する。少なくとも１箇所の接着部を、巻線１３Ａの両端部を互いに連結した結び目（結線部）１４とする。
【００１９】
尚、竹炭植木鉢１０は、炭化前から、底１２の中央部、又は竹本体１１の外周の側部に、水抜き用等の孔を開けてなるものであっても良い。
【００２０】
また、竹炭植木鉢１０は、炭化後に、竹本体１１の全体に対し、その炭化段階で取得した竹酢液を塗布する等によって被覆し、耐久性、外観性を向上させても良い。
【００２１】
本実施例によれば以下の作用がある。
(a)竹炭植木鉢１０において、炭化した竹本体１１の外周に巻線１３Ａ、１３Ｂを巻回して締結した。従って、竹炭植木鉢１０への水やりにより、竹本体１１が竹炭の強力な吸水性によって周方向へ拡張しようとしても、その拡張が巻線１３Ａ、１３Ｂの締め固めによって制限され、竹本体１１に割れを生ずるに至らない。
【００２２】
(b)竹本体１１を完全炭化し、竹炭の脱臭性、吸湿性、吸水・保水性等の特性を十分に確保しようとしても、竹本体１１の吸水による拡張を巻線１３Ａ、１３Ｂの締め固めにより制限し、水やりによる竹本体１１の割れを防止する。
【００２３】
(c)巻線１３Ａ、１３Ｂの少なくとも結び目１４を竹本体１１に接着したから、筒状の竹本体１１の上で巻線１３Ａ、１３Ｂを簡易に固定配置できるし、接着剤によって巻線１３Ａ、１３Ｂの結び目１４を被覆し、使用者の手指が巻線１３Ａ、１３Ｂの結び目１４の切り端に接して傷つくことを防止する。
【００２４】
即ち、竹炭植木鉢１０において、竹炭の脱臭性、吸湿性、吸水・保水性等の特性を利用し、部屋の消臭、除湿効果を享持したり、竹炭が保持する水分で植物が必要とする水分をまかない、水やり頻度を少なくして管理の手間を省きながら、水やりによる竹本体１１の割れを防止できる。
【００２５】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００２６】
【図１】図１は竹炭植木鉢を示す斜視図である。
【図２】図２は図１の側面図である。
【符号の説明】
【００２７】
１０  竹端植木鉢
１１  竹本体
１１Ａ  節
１２  底
１３、１３Ａ、１３Ｂ  巻線
１４  結び目
【図１】
0003108138.tif 000003
【図２】
0003108138.tif 000004